(57)【要約】      （修正有）【課題】背中を下にしての睡眠を促進し且つ顔の皺の形成を減少する睡眠補助具を提供する。【解決手段】睡眠補助具は、ダウン羊からの弾性がある繊維を有するダウンウールを収容するケーシングを備える枕の形態である。ダウンウールを収容するインサート８からなる、より小さな支持枕が枕内に配置されるのが好ましい。【選択図】図５
0003203125.tif 000002
【実用新案登録請求の範囲】
【請求項１】
ダウン羊からの弾性がある繊維を有するダウンウールを収容するケーシングを備える枕の形態の睡眠補助具。
【請求項２】
前記ケーシングは、ウールと羽毛羽柄プルーフの両方であることに関してダウンプルーフケーシングである請求項１に記載の睡眠補助具。
【請求項３】
前記ケーシング内に含まれる前記ウールの量は、ユーザの頭の重みに応じて前記枕内で前記ウールが移動できるようになっている請求項１又は請求項２に記載の睡眠補助具。
【請求項４】
前記枕は、７０×４０ｃｍであり、且つ５００〜７００ｇ、好ましくは、６００ｇのダウンウールを含む請求項３に記載の睡眠補助具。
【請求項５】
第２の、より小さな支持枕が前記第１の枕内に又はその下に配置されるために設けられる請求項１〜４のいずれか一項に記載の睡眠補助具。
【請求項６】
前記第２の支持枕は、前記第１の枕内に配置されるためのインサートからなる請求項５に記載の睡眠補助具。
【請求項７】
前記第２の支持枕は、ダウンウールを収容するケーシングを備え、前記第２の支持枕のウールの量と寸法は、前記第２の枕の全域にわたって常に存在するようになっていると共に前記第１の枕の寸法と前記第１の枕に含まれるウールの量は前記枕のケーシング内に充填されているウールの大きな移動を可能にするようになっている請求項５又は請求項６に記載の睡眠補助具。
【請求項８】
更に、外側ケーシング即ち枕カバーを備える請求項１〜７のいずれか一項に記載の睡眠補助具。
【請求項９】
前記枕カバーは、自然の材料よりなる請求項８に記載の睡眠補助具。
【請求項１０】
前記枕カバーは、シルクで作られる請求項９に記載の睡眠補助具。
【請求項１１】
前記シルク枕カバーは、２０〜５０匁である請求項１０に記載の睡眠補助具。
【請求項１２】
前記第１の枕と前記枕カバーは、実質的に同じ長さであるが、前記枕カバーは前記第１の枕よりも幅広であり、使用中に前記ユーザの頭の側部に対する前記第１の枕の内容物の集まりや移動を可能とする請求項８〜１０のいずれか一項に記載の睡眠補助具。
【請求項１３】
更に、前記枕の意図された上側の表面に配置されるための枕トッパーを備え、前記枕トッパーは、前記第１の枕ケーシングよりも小さなケーシングを備え且つ梳毛を含む請求項１〜１２のいずれか一項に記載の睡眠補助具。
【請求項１４】
縫い目が前記枕トッパーを貫通して間隔をあけて設けられ、前記トッパー全体にウールが保持されている請求項１３に記載の睡眠補助具。
【請求項１５】
実質的に平行な二つの縫い目のラインが前記枕トッパーの幅を横切るように設けられ、且つ前記平行な縫い目間の距離は、人の頭を受容するのに十分である請求項１３に記載の睡眠補助具。
【請求項１６】
二つの相対的に短い辺と二つの相対的に長い辺を有する矩形状の枕の形状の睡眠補助具であって、前記枕は、梳毛を収容するケーシングを備え、前記ケーシングは、前記枕の前記短い辺の間に実質的に延在する実質的に平行な少なくとも二つの縫い目のラインを有し、平行な前記縫い目のラインは、ユーザの頭を受容するために両者間に空間を提供するように離れている睡眠補助具。
【請求項１７】
背中を下にしての睡眠を促進するためのシステムであって、
請求項１〜１２のいずれか一項に記載の第１の枕と、前記第１の枕のケーシングよりも小さくケーシングを備え且つ梳毛を収容する枕トッパーとを備え、
前記枕の中又は下に配置するための前記第１の枕と前記枕トッパーよりも小さな第２の支持枕と、
自然の種子充填物を収容するケーシングを備える目用枕と、
ケーシング及びウール充填物を備える膝用支持体と、の内の一つ以上を任意に含むシステム。
【請求項１８】
前記第１の枕、前記枕トッパー、前記第２の支持枕、前記目用枕及び前記膝用支持体の少なくとも一つは、自然の繊維、好ましくは、シルクのカバー即ち枕カバーを備える請求項１７に記載のシステム。
【請求項１９】
前記第２の支持枕及び／又は前記膝用支持体は、弾性のあるダウンウールを収容する請求項１７又は請求項１８に記載のシステム。
【考案の詳細な説明】
【技術分野】
【０００１】
本考案は、睡眠補助具、特に、背中を下にしての睡眠を促進し且つ顔の皺の形成を減少するための補助具に関する。
【背景技術】
【０００２】
顔の線及び皺が最も少ない若い外見を保持したいという人の望みは、化粧品産業の大きな成功に繋がった。皺防止ローション及びクリームは、幅広く利用され得るが、それらの効果には疑問がある。美容外科もまた一つの選択肢であるが、これは、高価で侵襲的であり、且つ常に望ましい結果となるわけではない。
【０００３】
明確な線や皺の出現は、睡眠中の枕に対する人の顔の位置から生じ得ることがしばらく前から知られている。顔の線の出現の減少を助ける睡眠補助具が開発されている。例えば、国際公開第２０１１／１６３０７８号（Ｒｏｂａｎ、Ａｎｄｒｅｓ）は、ある位置で眠っている間、眠る人の頭と首を支持し且つ皺に対して顔を保護するように設計されたハンドレストを有する健康維持に役立つ枕について記述している。顔の隆起が、枕の頭の重みに起因した顔の組織の押しつぶし又は皺を減少するように頬の領域を支持する枕の中で形成される。この用具は、皺の出現を減少できるが、事前に形成された枕の形状は、ユーザにとってその用具の快適さに悪影響を及ぼし、それによって、その枕を繰り返し使用するのを止めてしまう。
【０００４】
顔の線の出現の度合いに影響を及ぼす、人が睡眠のために採用する特定の位置もまた知られている。例えば、うつぶせでの睡眠（「伏せての睡眠」）は、皺形成を促進するが、仰向けの睡眠（「背中を下にしての睡眠」）は、顔の組織に対する重力の自然な作用に起因して皺の形成を減少できる。米国特許出願公開第２００３／０１８８３８３号明細書（Ｅｎｓｅ、Ｓｈｅｐｈｅｎ）は、ユーザの頭の側部と後部が支持されると共に顔が枕との悪い接触から保護されるようにユーザの頭が位置することによってユーザの頭、首及び顔を支持する枕の設計について開示している。
【０００５】
しかしながら、この支持は事前形成された長尺状の発泡ボックスからなされ、ユーザに対する望ましさを減少し得る。
【０００６】
米国特許第８１６１５８８号明細書（Ｊｕｖｅｒｅｓｔ、Ｌｉｃ）及び米国特許第８７２６４３６号明細書（Ｗｒｉｇｈｔ、  Ｌｏｕｉｓａ）のような、顔の皺の出現を減少する背中を下にしての睡眠を促進することを請求している他の睡眠補助具が記述されている。これらの両方の用具は、眠る人を仰向けの位置に保持することを助けるが、ユーザの頭を特定の位置に物理的に向ける又は保持するための事前形成されたマウントを有する。このような製品は、それらの感触及び外観が従来の枕のものと非常に異なっているせいで、その成功の範囲は限られている。
【先行技術文献】
【特許文献】
【０００７】
【特許文献１】国際公開第２０１１／１６３０７８号
【特許文献２】米国特許出願公開第２００３／０１８８３８３号明細書
【特許文献３】米国特許第８１６１５８８号明細書
【特許文献４】米国特許第８７２６４３６号明細書
【考案の概要】
【考案が解決しようとする課題】
【０００８】
本考案の目的は、上述の欠点を克服する又は少なくとも緩和する改良された睡眠補助具を提供することである。
【課題を解決するための手段】
【０００９】
従って、本考案の第１の態様は、弾性のある繊維を有するダウンウールを収容するケーシングを備える枕の形態の睡眠補助具を提供する。本考案の第２の態様は、背中を下にしての睡眠を促進して顔の線の出現を減少するために本考案の第１の態様に係る枕の使用法を提供する。
【００１０】
前記ケーシングは、ダウンプルーフケーシングであることが好ましい。ダウンウールは、サウスダウン、サフォーク、ドーセット、ハンプシャー、オックスフォード、シュロップシャー及びサセックスの英国の地域からの最も一般的にダウンの品種であり、短毛種に属する羊によって提供される。弾性ウールは、短く留められ（ｓｈｏｒｔ  ｓｔａｐｌｅｄ）且つ特定の縮れを有し、これにより、伸びた後その自然な長さに戻る能力を備える。好ましくは、本考案で使用される特定のダウンウールは、弾性のある繊維を備えるウール粒子を提供するために洗い上げられる。
【００１１】
好ましくは、ケーシング内に含まれるウールの量は、ユーザの頭の重みに応じて枕内のウールの移動を可能とし、好ましくはユーザの頭の形状に対して支持マウンドを形成する。例えば、枕は、７０×４０ｃｍであってもよく、且つ５００〜７００ｇ、特に、６００ｇのダウンウールを含む。ケーシングは、例えば、ウールの量がユーザに都合がよいように変更することとケーシングを洗うこととのいずれか一方または両者が可能とするために枕の内部にアクセスできるように、ケーシングの端又は中間のような適切な位置にジップ又は他のファスナーを有する開口を備えることができる。
【００１２】
より好ましくは、本考案の第２の態様において使用されるための本考案の第１の態様に係る睡眠補助具は、第１の態様の枕よりも小さな第２の支持枕を含む。この第２の支持枕は、枕内に内部支持体即ちインサートとして設けられることができ、好ましくは、枕の使用時に頭の後部を支持するために枕の中で実質的に中心に設けられる。或いは、より小さな第２の支持枕が頂部に設けられてもよいが、より好ましくは、第１の枕の下に設けられる。好ましくは、第２の支持枕はダウンウールを含むが、ウールの量と第二の支持枕即ちインサートの寸法は、その枕／インサートの全域にわたって常にウールが存在するようになっている。対照的に、第１の枕の寸法とその枕に含まれるウールの量は、ケーシング内へ充填されるウールのより大きな移動を可能とするようになっている。
【００１３】
より小さな第２の支持枕は、枕の永続的な造作であることができ、例えば、第１の枕のケーシングの裏表面に縫い付けられたり、第１の枕内に配置するために別のインサートとして設けられてもよいことが理解されるべきである。任意ではあるが、適切な締着手段が枕内にそのインサートの位置を保持するために設けられてもよい。
【００１４】
第１の枕に外側ケーシング即ち枕カバーを設けることが好ましい。好ましくは、枕カバーは、自然の材料よりなり、特に、シルクであるとよい。硬めのシルクが使用されることが好ましく、特に、２０〜５０匁（７５ｇ〜１８７．５ｇ）であり、好ましくは、＞５０匁（１８７．５ｇ）である。匁（一匁＝３．７５ｇ）の重さは、ポンド（１ポンド＝０．４５３ｋｇ）でいえば、４５インチ幅のシルクの１００ヤード分の重みを表している。例えば、８ｍｍで１匁と繊維の重さが記載されると、それは、その繊維の１００ヤード（９１．４ｍ）分の重さは、８ポンド（３．６２ｋｇ）であることを意味する。
【００１５】
外側ケーシング即ち枕カバーのための他の材料は、竹、パイナップル、又はバナナ繊維を含む。
【００１６】
枕及び枕カバーは、頭の側部に対して枕が集まることを可能とする寸法にされるべきである。好ましくは、これは、枕と枕カバーが同じ長さを有するが枕カバーが枕よりも幅広であることによって達成される。
【００１７】
本考案の一好適な実施形態では、枕は、弾性のあるダウンウールを５００〜７００ｇ、より好ましくは、６００ｇ含む７０×４０ｃｍであり、且つ弾性のあるダウンウールを８０〜１５０ｇ、より好ましくは、１２０ｇ含む４０×２０ｃｍであるインサートを構成する第２の支持枕を有する。シルク枕カバーは、好ましくは、２０〜５０匁（７５ｇ〜１８７．５ｇ）で且つ７０×４５ｍｍの寸法であり、枕を包む。或いは、第２の支持枕は、第１の枕の外部に設けられ且つそれ自体がシルクの枕カバーを備えることができる。
【００１８】
また、本考案は、第１の枕の意図的な上側の表面への配置のための枕トッパー（上層）を含んでいてもよい。好ましくは、枕トッパーは、第１の枕ケーシングよりも小さなケーシングを備え、且つ梳毛（ｃａｒｄｅｄ  ｗｏｏｌ）を含む。例えば、トッパーは、５０×３０ｃｍであってもよい。ケーシングは、ダウンプルーフであってもよい。好ましくは、縫い目は、トッパー全体にウールを保持するのを助けるように枕トッパーを貫通して間隔をあけて設けられる。例えば、縫い目は、ダイヤモンドの形状に設けられてもよい。トッパーが枕トッパーカバー内に包まれることが好ましく、また、トッパーは、シルクよりなることが好ましい。
【００１９】
本考案の好適な実施形態では、枕トッパーは、枕トッパーの全幅を実質的に横切る実質的に平行な縫い目の二つのラインを備える。縫い目のこれらのラインは、ユーザの頭を受容するためにライン同士間に間隔を設けるように離間される。枕トッパーの両側の自由端は、使用中に上方に屈曲することができる。
【００２０】
この目的を達成するために、本考案の第３の態様は、二つの相対的に短い辺と二つの相対的に長い辺とを有する矩形状の枕の形態の睡眠補助具であって、前記枕は、梳毛を含むケーシングを備え、前記ケーシングは、前記枕の前記短い辺同士間に実質的に延出する実質的に平行な縫い目の少なくとも二つのラインを有し、前記縫い目の前記平行なラインは、ユーザの頭を受容するために前記ライン同士間に空間を提供するように離間される睡眠補助具を提供する。
【００２１】
本考案の第４の態様は、背中を下にしての睡眠を促進し、それによって、顔の線の出現を減少するための本考案の第３の態様に係る枕の使用法を提供する。
【００２２】
本考案の第５の態様は、背中を下にしての睡眠を促進するための睡眠補助システムであって、本システムは、本考案の第１の態様に係る枕と、前記枕ケーシングよりも小さなケーシングを備え且つ梳毛を収容する枕トッパーを備え、
前記第１の態様の枕の下又は中に配置されるためのより小さい第２の支持枕、
自然の種子充填物を含むケーシングを備える目用枕、及び
ケーシングと毛充填物を備える膝用支持体
のうちの一つ以上を任意に備える。
【００２３】
好ましくは、前記枕、トッパー、目用枕及び膝用支持体の内の少なくとも一つ、好ましくはそれらの全ては、自然の織物、好ましくはシルクのカバー即ち枕カバーを備える。前記第２の支持枕及び／又は前記膝用支持体は、弾性のあるダウンウールを含むことが好ましい。好ましくは、前記ウールは留められる。
【００２４】
本考案の第６の態様は、本考案の第５の態様に係るシステムを使用して、人が仰向けの位置で眠るように訓練する方法を提供する。
【図面の簡単な説明】
【００２５】
本考案の実施形態は、添付の図面を参照して、ただの例として、ここに記述される。
【００２６】
【図１】使用中で示される、本考案の一実施形態に従う睡眠補助具の正面図である。
【図２】本考案で使用されるタイプの弾性のあるダウンウールを示す。
【図３】本考案での使用に適さないタイプのウールを示す。
【図４】本考案での使用に適さないタイプのウールを示す。
【図５】本考案の一実施形態に係る枕とインサートの概略図である。
【図６】本考案と共に使用されるための目用枕の概略図である。
【図７】本考案と共に使用されるための膝用支持体の概略図である。
【図８】本考案の他の実施形態に従う睡眠補助具の基本コンポーネント部品を示す。
【図９Ａ】図８に示される睡眠補助具の枕トッパー即ち「目用枕」の正面図、後面図、側面図及び端面図を示す。
【図９Ｂ】図９Ａに示される枕トッパーのための枕カバーの正面図及び後面図を示す。
【図１０Ａ】図８に示される睡眠補助具の大きな頭用枕の正面図、後面図、側面図及び端面図を示す。
【図１０Ｂ】図９Ａに示される頭用枕のための枕カバーの正面及び後面図を示す。
【図１１Ａ】図８に示される睡眠補助具の小さな「シークレット」枕の正面図、後面図、側面図及び端面図を示す。
【図１１Ｂ】図１１Ａに示される小さな「シークレット」枕のための枕カバーの正面図及び後面図を示す。
【図１２】使用するために配置された図８の睡眠補助具を示す。
【図１３】オプションの目用枕を含む、使用中の図８及び図１２の睡眠補助具を示す。
【図１４】本考案の一実施形態に係る睡眠補助具のための目用枕の斜視図、正面図、側面図及び端面図を示す。
【考案を実施するための形態】
【００２７】
本考案は、仰向けの位置で眠りに入り、睡眠中その位置に留まるように人を援助すると共に訓練し、それによって、うつ伏せ又は横向きで枕に頭を乗せる時に、その頭の重みから生じる顔の組織の圧縮、牽引及び伸びの結果として生じ得る顔の線の形成の可能性を減少する、枕の形態の睡眠補助具を提供する。
【００２８】
添付図面の図１は、本考案に係る睡眠補助具の一実施形態の斜視図である。用具２は、外観が従来の枕に似ており、重要なことに、横を向いて寝る時の標準の枕と同様の感覚をユーザの側部及び頬に提供するようにユーザの頭の回りに十分に成形され得る（ｍｏｕｌｄａｂｌｅ）。しかしながら、その特定の新規な充填物と設計は、睡眠中に人が仰向けに留まることができない問題に対して新規な解決策を提供して、それによって枕の上に乗せる時に仰向けでの睡眠を促進する。
【００２９】
枕２は、ケーシング内に収容された、弾性のあるウール４（図２参照）を、好ましくは、５００〜７００ｇ、特に、６００ｇ含む、好ましくは、７０×４０ｃｍの矩形状のクッションを構成する。このウールは、背中を下にしての、即ち仰向けの睡眠を促進するために必要な特性を有する枕を提供するのに重要な繊維に対し、弾性を与える仕上げが提供されている。ウールは、サウスダウン、ドーセット、ハンプシャー、オックスフォード、シュロップシャー及びサセックスのような地域で見られる短毛種の羊のダウンウールである。ウールの撚糸は、自然に縮れており、且つウールは、弾性があり微粒子状のウールを提供するように留められ、これにより、枕がユーザの頭の回りに繰り返し成形されることが可能となっている。微粒子状のウール（図２に示される）の性質は、図３に示されるような、凝集する傾向のある他のウール５と合成材料とは異なり、充填物がケーシング内で動き回りあらゆる特定の形状を形成することを可能とする。また、ウールの弾性は重要であり、図４に示されるような弾性の無い微粒子状ウール６は要求される特性を提供しない。
【００３０】
驚いたことに、ダウンウールの使用は、ユーザの頭の回りに成形する枕を達成するための必要な特性の全てを提供することがわかった。これに関して、参照されるタイプのウールは、鳥の柔らかい断熱羽により類似しているいくつかの動物で生える柔らかい下毛に関するものではないことに留意すべきである。このタイプのダウン繊維は、ウールの一種ではあるが、それは、非常に微細で別の層として生え、毛のタイプの繊維の層、若しくは、より長くいくぶん粗いウールのコート、又はこの二つの組合せによって覆われ且つ保護される。対照的に、本考案は、ダウンの羊からのダウンウールを使用する。ダウンの羊は、典型的には、ウールのためではなく肉のために飼育される。このタイプのウールは、比較的に短く、繊維の長さは、一般的に５〜１５ｃｍ長、より好ましくは、５〜１０ｃｍであり、繊維の直径は、一般的には、２０〜３５ミクロンメートルの範囲内である。ダウンのウールは、自然に弾性があり、大きな弾性と強度を有する。ダウンウールの固まりは、密であり且つ弾性があり、中間グレードの羊毛であり、嵩があり、一緒に纏まっている矩形の繊維を有する。ダウンウールは、セーター、二又手袋、ブランケットのような硬い装着アイテムのために以前は使用されているが、枕を充填するためには通常使用されていない。背中を下にしての睡眠を促進して顔の線が現われることを減少するための枕の充填物としてのダウンウールの新規な使用は、このタイプのウールに対する全く新しい用途である。
【００３１】
ダウンウールの例を以下の表に示す。
【００３２】
【表１】
0003203125.tif 000003
【００３３】
使用中、人の頭は、枕の中心に位置し、ダウンウールは、仰向けの位置にいる間顔の側部を緩衝する（ｃｕｓｈｉｏｎ）よう動き回ることができ、それによって、うつ伏せ又は横を向いて眠る場合に達成されるに過ぎない体にぴったりした感覚をユーザに与える。この側部の緩衝は、ユーザを仰向け位置に保つことを助け、従って、背中を下にしての睡眠を促進してそれによって顔の皺が現われるのを減少する。
【００３４】
ダウンウールを保持する枕のためのカバー材料即ちケーシングは、ダウンプルーフ材料から作られ、使用中にウールがそのケーシングを貫通できないことを保証する。ダウンプルーフ織物は、それが（カモ、ガチョウ及び他の水鳥の）ダウンの羽柄の貫通に抵抗する、例えば、密に織られた自然織物であるために、そのように名付けられる。ケーシング即ちカバー材料は、一方の辺（図示せず）に沿うジップファスナー、好ましくは、３５ｃｍ長である、枕の内容物を再度毛羽立てること及び小さな枕インサート８の任意の挿入（以下を参照）を可能とするジップファスナーを有する。
【００３５】
添付図面の図５に返ると、枕２はまた、枕（例えば、４０×２０ｃｍ）よりも小さく且つ枕の下側に配置される、任意ではあるが、縫込み又はＶｅｌｃｒｏ（登録商標）のような適切な固定手段によって取付けられるインサート８を備える。また、インサートは、ダウンウール、好ましくは、１２０ｇのウールが充填される。インサートを囲む主要枕がユーザの頭の回りに成形され得る間、インサート８は頭の後部を支持する。インサートがないと、頭の重みに起因して枕内にギャップを形成することになる可能性があり、これにより、枕のユーザに対する全体的快適さを減少し、それが、製品の望ましさを減じることになる。
【００３６】
枕の寸法及び枕の中に含まれるウールの量は、ケーシング内に充填するウールの移動を可能とするようになっている。これに対し、インサートの寸法は、ウールがそのインサートの全域にわたって存在することを保証するようになっている。このように、主要枕の充填物は顔を上向きに支持するように動き回り、それによって眠る人を仰向け位置に保つことを助けることを可能にしながら、ユーザの頭の後ろには常に何らかの緩衝がある状態となる。追加の充填は、特定のユーザによって望まれるように、枕内への充填量を調整するために別個で実行され得る。
【００３７】
枕ケーシングは、カバー即ち枕カバー１０を備えることが好ましい。枕カバーの枕に対するサイズ決定もまた、ユーザの頭回りの正確な成形を可能とするために重要である。枕カバーの長さは、背中を下にしての睡眠位置にある時に、頭の両側部を囲むように枕の両側部が突出するのを助けるように枕の長さ（例えば、７０ｃｍ）と同じであることが好ましいが、枕カバーの幅は、枕が頭の回りに効果的に集まることを可能とするように枕の幅（例えば、４５ｃｍ）よりも幅広であることが好ましい。
【００３８】
ウールの充填によって、睡眠を促進する温度制御という追加の利点が提供される。枕カバー１０は、睡眠を助けるために自然の繊維から作られることが好ましい。シルクの枕カバーが好ましいが、竹、パイナップル又はバナナのような他の自然の織物が使用されてもよい。好ましくは、硬いシルク織物は、枕カバーのために使用され、好ましくは、２０〜５０匁（７５ｇ〜１８７．５ｇ）である。枕カバーのウールの充填と自然の織物によって、仰向け位置に体を保持することを促進するユーザのための良好な一般的な感覚と快適さが増加する。ユーザが受ける何らかの不快感によって、ユーザが他の睡眠位置へ移動する可能性が増加する。
【００３９】
インサート８と枕カバー１０を有する前述の枕２は、顔の両側を柔らかく緩衝しながら首と頭を仰向けの位置に支持する心地よい且つ十分に成形可能な枕を提供することによって背中を下にしての睡眠を促進するように働き、ユーザがその位置に留まることを助け、それによって、顔の皺の形成が最小になる。
【００４０】
加えて、ユーザが背中を下にして眠る訓練をしている間、枕トッパー即ち訓練枕（図示せず）が設けられる。トッパーは、主要、即ち基本の枕よりも僅かに小さく、例えば、５０×３０ｃｍであり、主要枕の頂部に取り付ける。トッパーは、梳毛が充填されてユーザの頭の回りに柔らかいパッドを形成する。梳毛は、機械的な毛羽立て処理を受けて繊維を解きほぐし、洗浄し、混合してウールの連続する束を生成する。ウールからもつれが除去される一方、繊維は、ふわふわしたウールを製造するために不規則な配置となる同じ方向に十分には整列しない。好ましくは、縫い目パターンは、トッパーを貫通するように、例えば、ダイヤモンドの形状に、縫われ、ウールを所定位置に保持して中央のウールを側部と角部から離れて維持する。また、ウールは、枕カバー内に設けられるケーシング内に設けられ、好ましくは、ケーシングは枕トッパーと同じサイズであり、シルク材料で作られる。
【００４１】
使用中、訓練枕の両側部は、立ち上がり、ユーザに横向きの睡眠の感覚を与えるが、ユーザは実際には背中を下にしており、また、背中を下にしての睡眠を促進し、ユーザの目的は習慣的に背中を下にして眠ることである。
【００４２】
更なるアクセサリーが、背中を下にしての睡眠を助け、それによって顔を下にしての又は横向きの睡眠から生じる顔の皺の現われることを減少するための前述のコンポーネントに提供される。目用枕２０は、訓練システムの部品として設けられ、目の上に配置されて睡眠を助け且つユーザが背中を下にして留まること又は目用枕が落ちることを思い出させる（図６参照）。好適な目用枕は、シルク材料又は他の自然の織物から作られ、リラクゼーションと睡眠を助ける種子又は他の自然の成分を収容することができる。例えば、枕は、２１×１２ｃｍの外側ケースと亜麻仁（１００ｇ等）が充填された２１×１０ｃｍの内側ケースを備えることができる。ジップは、再充填及び／又は洗濯を可能とするためにケースの短い端部を横切るように設けられ得る。
【００４３】
追加的に及び／又は代替的に、膝用支持体１０即ち膝用枕は、図７に示されるように、背中を下にしての睡眠中に快適さを増加し、それによってこの位置での睡眠を促進するために膝の下へ配置するために設けられ得る。好適な膝用支持体は、頭に対する主要枕に設けられるウールよりも弛んだウール充填物を有する枕よりなる。好ましくは、弾性のあるダウンウールがその充填のために提供される。弛んだウールは、膝の後ろで柔らかい緩衝を可能とし、それはまた、背中を下にしての睡眠を助ける。硬めの充填物は、膝の後ろに位置するリンパ節に起因するリンパ循環にとってよくない。硬めの感覚はまた、脚部の静脈に多くの圧力を掛けすぎることになる。
【００４４】
弾性のあるダウンウールを有する主要枕は、背中を下にしての睡眠を助けて望ましくない顔の線が現われることを減少するための本考案の基本コンポーネントを提供する。枕の柔らかさとユーザの頭回りに成形される枕の能力は、製品の利用可能性を大きく向上し且つ従来の技術の事前形成された頭の支持体に対比して、人が本用具を使用し続けやすいことを意味する。インサートは、主要枕の快適性を向上するように働き、従って、習慣的な仰向けの睡眠をなお一層助ける。訓練枕即ちトッパーを設けることは、ユーザが通常横向き又はうつ伏せの睡眠を好む時、ユーザが仰向け位置を維持することを助ける。従って、本考案は、ユーザが背中を下にしての睡眠を習慣付けることを可能とし、それによって顔の皺の出現が減少することになる。睡眠補助具がユーザに対して快適性を提供するならば、ユーザは、睡眠中に仰向け位置を維持することにより成功することが容易に明らかになる。
【００４５】
添付図面の図８〜図１４はまた、背中を下にしての睡眠を促進して顔の皺が現われることを減少するための本考案に係る睡眠補助具の他の実施形態を示す。図１〜図７に関して論じられたものと同一の機能部は、単純化のために同じ参照番号が与えられ、違いのみが詳細に論じられる。
【００４６】
本システムの三つの基本コンポーネントは、先に述べられたダウンの弾性のあるウールを含む大きな頭用枕２、インサート８と同等のより小さな「シークレット」枕１８、及び中間のサイズの枕トッパー、即ち「耳用枕」１６を備える。
【００４７】
また、小さな「シークレット」枕１８（特に図１１Ａと図１１Ｂを参照）は、ウールがシークレット枕の全域にわたって存在することを保証するような量で設けられるダウンの弾性のあるウールを備える。より大きな頭用枕２は、充填物の上げ直しを可能とするように中心の後部ジップ開口（図１０Ａ参照）を備える。ウールが機構内に捕まることを防止するために、プラケット又は垂れ布がジップの後ろの内側に設けられることが好ましい。
【００４８】
中間サイズの枕トッパー又は目用枕１６は、梳毛を収容し、縫い目１７の二つの平行なラインを備える（特に図９Ａ及び図９Ｂを参照）。縫い目の二つのラインの間の距離は、人の頭が二つのラインＨＳの間に受容され得るのに十分である。このように、枕の自由端は、使用中にユーザの両耳に向かって上方に動いて頭を緩衝し且つ仰向け位置に人を保持するのを助けることができる（図１２及び図１３参照）。頭用枕、シークレット枕及び耳用枕を備える三つのコンポーネントよりなるシステムが好適であるが、耳用枕は、背中を下にしての睡眠を促進するために単独で又は従来の枕に加えて使用され得ることが理解されるべきである。
【００４９】
夫々、図９Ｂ、図１０Ｂ及び図１１Ｂに示されるように、耳用枕１６、大きな頭用枕２及びより小さなシークレット枕１８の夫々は、シルク枕カバー１６Ｓ、２Ｓ、１８Ｓを備える。これらの枕カバーは、それらの夫々の枕のケーシングと実質的に同じ長さであるが、幅はより大きい。加えて、各枕カバーは、通常のフラップ１９、２１、２３よりも大きいフラップを備える。理想的には、これは、各枕カバーの長さの少なくとも２５％、より好ましくは、長さの約三分の一（約３６％）に沿って延出する。これによって、枕カバーが、枕の水平面に沿って乗っている頭の重みに起因して引き起こされる張力に対して強固に保持されることが保証される。
【００５０】
使用中、より小さなシークレット枕１８は、頭用枕２の下に設けられる。これによって、ユーザの頭の後ろに何らかの緩衝が常にあり、他方、頭用枕の充填材が、頭を上向き位置に支持するため動き回ることができ、それによって、睡眠者が仰向け位置に留まることを助けることが保証される。次に、枕トッパー即ち耳用枕１５は、頭に対して追加の緩衝と支持を提供し且つ背中を下にしての睡眠を更に助けるために頭用枕に追加して置かれる（図１２及び図１３参照）。睡眠補助具はまた、先に述べられたように、目用枕又はマスク２０（図１３及び図１４を参照）及び／又は膝用支持体（頭用支持体２と実質的に等価である）を含むことができる。
【図１】
0003203125.tif 000004
【図２】
0003203125.tif 000005
【図３】
0003203125.tif 000006
【図４】
0003203125.tif 000007
【図５】
0003203125.tif 000008
【図６】
0003203125.tif 000009
【図７】
0003203125.tif 000010
【図８】
0003203125.tif 000011
【図９Ａ】
0003203125.tif 000012
【図９Ｂ】
0003203125.tif 000013
【図１０Ａ】
0003203125.tif 000014
【図１０Ｂ】
0003203125.tif 000015
【図１１Ａ】
0003203125.tif 000016
【図１１Ｂ】
0003203125.tif 000017
【図１２】
0003203125.tif 000018
【図１３】
0003203125.tif 000019
【図１４】
0003203125.tif 000020
【手続補正書】
【提出日】平成27年11月30日(2015.11.30)
【手続補正１】
【補正対象書類名】実用新案登録請求の範囲
【補正対象項目名】全文
【補正方法】変更
【補正の内容】
【実用新案登録請求の範囲】
【請求項１】
ダウン羊からの弾性がある繊維を有するダウンウールを収容する枕ケーシングを備える枕の形態の睡眠補助具。
【請求項２】
前記枕ケーシングは、ウールと羽毛羽柄プルーフの両方に対するダウンプルーフ材料からなる請求項１に記載の睡眠補助具。
【請求項３】
前記枕ケーシング内に含まれる前記ウールの量は、ユーザの頭の重みに応じて前記枕内で前記ウールが移動できる量になっている請求項１又は請求項２の睡眠補助具。
【請求項４】
前記枕は、７０×４０ｃｍであり、且つ５００〜７００ｇのダウンウールを含む請求項３に記載の睡眠補助具。
【請求項５】
前記枕より小さな支持枕が前記枕内に又はその下に配置されるために設けられる請求項１〜４のいずれか一項に記載の睡眠補助具。
【請求項６】
前記支持枕は、前記枕内に配置されるためのインサートからなる請求項５に記載の睡眠補助具。
【請求項７】
前記支持枕は、ダウンウールを収容するケーシングを備え、前記支持枕のウールの量と寸法は、前記支持枕の全域にわたって常に存在するようになっていると共に前記枕の寸法と前記枕に含まれるウールの量は前記枕ケーシング内に充填されているウールの大きな移動を可能にするようになっている請求項５又は請求項６に記載の睡眠補助具。
【請求項８】
更に、外側ケーシング即ち枕カバーを備える請求項１〜７のいずれか一項に記載の睡眠補助具。
【請求項９】
前記枕カバーは、自然の材料よりなる請求項８に記載の睡眠補助具。
【請求項１０】
前記枕カバーは、シルクで作られる請求項９に記載の睡眠補助具。
【請求項１１】
前記枕カバーは、２０〜５０匁である請求項１０に記載の睡眠補助具。
【請求項１２】
前記枕と前記枕カバーは、実質的に同じ長さであるが、前記枕カバーは前記枕よりも幅広であり、使用中にユーザの頭の側部に対する前記枕の内容物の集まりや移動を可能とする請求項８〜１０のいずれか一項に記載の睡眠補助具。
【請求項１３】
更に、前記枕の意図された上側の表面に配置されるための枕トッパーを備え、前記枕トッパーは、前記枕ケーシングよりも小さなケーシングを備え且つ梳毛を含む請求項１〜１２のいずれか一項に記載の睡眠補助具。
【請求項１４】
縫い目が前記枕トッパーを貫通して間隔をあけて設けられ、前記トッパー全体にウールが保持されている請求項１３に記載の睡眠補助具。
【請求項１５】
実質的に平行な二つの縫い目のラインが前記枕トッパーの幅を横切るように設けられ、且つ前記平行な縫い目間の距離は、人の頭を受容可能な距離である請求項１３に記載の睡眠補助具。
【請求項１６】
背中を下にしての睡眠を促進するためのシステムであって、
請求項１〜１２のいずれか一項に記載の枕と、前記枕のケーシングよりも小さいケーシングを備え且つ梳毛を収容する枕トッパーとを備え、
前記枕の中又は下に配置するための前記枕と前記枕トッパーよりも小さな支持枕と、
自然の種子充填物を収容するケーシングを備える目用枕と、
ケーシング及びウール充填物を備える膝用支持体と、の内の一つ以上を含むシステム。
【請求項１７】
前記枕、前記枕トッパー、前記支持枕、前記目用枕及び前記膝用支持体の少なくとも一つは、自然の繊維を備える請求項１６に記載のシステム。
【請求項１８】
前記支持枕及び／又は前記膝用支持体は、弾性のあるダウンウールを収容する請求項１６又は請求項１７に記載のシステム。
【手続補正書】
【提出日】平成28年1月8日(2016.1.8)
【手続補正１】
【補正対象書類名】実用新案登録請求の範囲
【補正対象項目名】全文
【補正方法】変更
【補正の内容】
【実用新案登録請求の範囲】
【請求項１】
ダウン羊からの弾性がある繊維を有するダウンウールを収容する枕ケーシングを備える枕の形態の睡眠補助具。
【請求項２】
前記枕ケーシングは、ウールと羽毛羽柄プルーフの両方に対するダウンプルーフ材料からなる請求項１に記載の睡眠補助具。
【請求項３】
前記枕ケーシング内に含まれる前記ダウンウールの量は、ユーザの頭の重みに応じて前記枕内で前記ダウンウールが移動できる量になっている請求項１又は請求項２の睡眠補助具。
【請求項４】
前記枕は、７０×４０ｃｍであり、且つ５００〜７００ｇのダウンウールを含む請求項３に記載の睡眠補助具。
【請求項５】
前記枕より小さな支持枕が前記枕内に又はその下に配置されるために設けられる請求項１〜４のいずれか一項に記載の睡眠補助具。
【請求項６】
前記支持枕は、前記枕内に配置されるためのインサートからなる請求項５に記載の睡眠補助具。
【請求項７】
前記支持枕は、ダウンウールを収容するケーシングを備え、前記支持枕のウールの量と寸法は、前記支持枕の全域にわたって常に存在するようになっていると共に前記枕の寸法と前記枕に含まれるウールの量は前記枕ケーシング内に充填されているウールの大きな移動を可能にするようになっている請求項５又は請求項６に記載の睡眠補助具。
【請求項８】
更に、外側ケーシング即ち枕カバーを備える請求項１〜７のいずれか一項に記載の睡眠補助具。
【請求項９】
前記枕カバーは、自然の材料よりなる請求項８に記載の睡眠補助具。
【請求項１０】
前記枕カバーは、シルクで作られる請求項９に記載の睡眠補助具。
【請求項１１】
前記枕カバーは、２０〜５０匁である請求項１０に記載の睡眠補助具。
【請求項１２】
前記枕と前記枕カバーは、実質的に同じ長さであるが、前記枕カバーは前記枕よりも幅広であり、使用中にユーザの頭の側部に対する前記枕の内容物の集まりや移動を可能とする請求項８〜１０のいずれか一項に記載の睡眠補助具。
【請求項１３】
更に、前記枕の意図された上側の表面に配置されるための枕トッパーを備え、前記枕トッパーは、前記枕ケーシングよりも小さなケーシングを備え且つ梳毛を含む請求項１〜１２のいずれか一項に記載の睡眠補助具。
【請求項１４】
縫い目が前記枕トッパーを貫通して間隔をあけて設けられ、前記枕トッパーの全体にウールが保持されている請求項１３に記載の睡眠補助具。
【請求項１５】
実質的に平行な二つの縫い目のラインが前記枕トッパーの幅を横切るように設けられ、且つ前記平行な縫い目間の距離は、人の頭を受容可能な距離である請求項１３に記載の睡眠補助具。
【請求項１６】
背中を下にしての睡眠を促進するためのシステムであって、
請求項１〜１２のいずれか一項に記載の枕と、前記枕のケーシングよりも小さいケーシングを備え且つ梳毛を収容する枕トッパーとを備え、
前記枕の中又は下に配置するための前記枕と前記枕トッパーよりも小さな支持枕と、
自然の種子充填物を収容するケーシングを備える目用枕と、
ケーシング及びウール充填物を備える膝用支持体と、の内の一つ以上を含むシステム。
【請求項１７】
前記枕、前記枕トッパー、前記支持枕、前記目用枕及び前記膝用支持体の少なくとも一つは、自然の繊維を備える請求項１６に記載のシステム。
【請求項１８】
前記支持枕及び／又は前記膝用支持体は、弾性のあるダウンウールを収容する請求項１６又は請求項１７に記載のシステム。